(57)【要約】【課題】ケース本体と開閉する蓋から成って内部にＣＤ，ＤＶＤ、その他の記録媒体を収納するケースであって、安定したロックが行なわれると共に、開閉操作が簡単で、しかも耐久性に優れた収納ケース。【解決手段】ケース本体１及び蓋２の側縁１１，１２には互いに噛み合う係合部を有し、又ケース本体１の側縁１１の一部を切欠いた箇所にボタン５を設け、該ボタン５にはアーム６を延ばすと共に先端は閉じた蓋の内面１４に接触又は近接し、そしてボタン５は揺動可能である。【選択図】        図５
2004323092.tif 000002
【特許請求の範囲】
【請求項１】
ケース本体と開閉する蓋から成って内部にＣＤ，ＤＶＤ、その他の記録媒体を収納するケースにおいて、ケース本体及び蓋の側縁には互いに噛み合う係合部を有し、又ケース本体の側縁の一部を切欠いた箇所にボタンを設け、該ボタンにはアームを延ばすと共に先端は閉じた蓋の内面に接触又は近接し、そしてボタンは揺動可能であることを特徴とする記録媒体の収納ケース。
【請求項２】
上記係合部を凹部と凸部の組合せで構成した請求項１記載の記録媒体の収納ケース。
【請求項３】
上記ケース本体又は蓋には弾性部材を設け、蓋を閉じることで弾性部材が変形して蓋を開く方向に弾性力を付勢する請求項１、又は請求項２記載の記録媒体の収納ケース。
【発明の詳細な説明】
【０００１】
【発明の属する技術分野】
本発明は、ＣＤ、ＤＶＤ等のディスク、又はその他の記録媒体を収納するケース、特に該収納ケースの開閉構造に関するものである。
【０００２】
【従来の技術】
音楽や映像を記録したＣＤ，ＤＶＤ等の記録媒体は、ケースに収納された状態で販売されている。従来の収納ケースはケース本体と蓋を有し、繋ぎ部を介して連結している蓋はケース本体に開閉可能に取付けられている。そして、閉じた蓋が独りでに開かないようにロック機構が備わっている為に、該蓋を開く際には、本体側を支えながら蓋を摘み上げることが必要である。
【０００３】
ところで、上記ロック機構には色々あるが、一般的には凹部に凸部が係合する構造であり、該凹部に凸部が係合することで蓋が開かないように構成している。
しかし、このような従来のロック機構では、互いに係合した状態にある凸部が凹部から離脱し難くて蓋が開き難いといった事態が発生する。そこで、従来ではケース本体にボタン部を設けて該ボタンを押圧することで蓋が開くように機能する収納ケースが知られている。
【０００４】
特公平１１−５０３６９１号はその１つであり、この方法はケース本体に取付けられた蓋がラッチを構成するボタン部を含むキャッチによって閉じた状態に保持されるキャッチ機構が採用されている。すなわち、何れか一方に設けたキャッチ機構にて他方を捕らえて閉じた状態に保持することが出来る。しかし、蓋を開く為に作用する力で、ラッチを構成するボタン部を含むキャッチ機構に無理な力が加わって、該キャッチ機構が破損してしまう危険性がある。すなわち、該キャッチ機構は耐久性に乏しく、常に開閉操作が成される収納ケースのロック装置には不向きである。
【０００５】
【発明が解決しようとする課題】
このように、従来の収納ケースには上記のごとき問題がある。本発明が解決しようとする課題はこの問題点であり、安定したロックが行なわれると共に、開閉操作が簡単であり、又耐久性に優れた収納ケースを提供する。
【０００６】
【課題を解決する為の手段】
本発明に係る収納ケースはケース本体と蓋から成り、該蓋は開閉可能と成っている。ここで、蓋の開閉構造は限定せず、繋ぎ部を介して開閉する場合、又軸を介して開閉する構造とすることも出来る。そして、蓋が閉じることでロックされるが、ロック手段としてケース本体と蓋には互いに係合する係合部を有している。
【０００７】
本発明の収納ケースは、係合状態にあってロックされている蓋を開く際には、すなわち係合を解除する為にケース本体には蓋開放用ボタンを配置し、開放用ボタンを押圧することで係合状態を解除して蓋を開くことが出来る構造と成っている。該ボタンにはアームを延ばし、蓋が閉じた状態にある場合には、該アーム先端が蓋内面に接し又は近接している。そしてボタンを押圧することで係合状態を解除すると共にアームは蓋を押し上げて蓋が開かれる。以下、本発明に係る実施例を図面に基づいて詳細に説明する。
【０００８】
【実施例】
図１は本発明に係る収納ケースを示している実施例であり、同図の１はケース本体、２は蓋を示し、該蓋２は繋ぎ部を介して開閉可能と成っている。ケース本体１の内部構造は収納する記録媒体によってその形態は異なるが、ＣＤやＤＶＤ等のディスクであれば、ケース本体１の中央部には嵌合凸部がベース面から突出し、ディスクの中央穴に嵌って該ディスクが取付けられる。
【０００９】
ところで、本発明の収納ケースの蓋２は常時閉じてロック状態にあるが、ボタン５を押圧することで該蓋２が開くように成っている。図２は収納ケースに設けているロック機構の断面を示している。ケース本体１は四角形のベース面に対して、その外側には側縁が起立し、前面側の側縁１１には蓋２の前面側の側縁１２が重なり合って閉じられる。そして、ケース本体側側縁１１には凹部３が形成され、蓋２の側縁１２には凸部４が形成されていて、該凸部４は凹部３に係合している。ここで、凸部４及び凹部３は係合部の１形態であり、他の係合形態とすることは自由である。
【００１０】
従って、蓋２は開かないようにロックされ、蓋２を開く場合には凸部４を該凹部３から外さなくては成らない。蓋２を無理やり持上げることで開くことは可能であるが、本発明ではケース本体１の側縁１１にボタン５を備え、該ボタン５を押圧することで蓋２が開くように構成している。
【００１１】
図３はボタン５の断面を示し、（ａ）は蓋２が閉じている場合、（ｂ）はボタン５を押圧してロックが解除されて蓋２が開いた場合である。ボタン５は概略Ｌ型断面を成してアーム６を有し、該アーム６の先端には押上げ凸部１３を形成している。押上げ凸部１３はアーム６から上方へ僅かに突出し、蓋２が閉じている状態では該蓋２の内面１４に接し、又は近接している。
【００１２】
そこで、ボタン５を押圧するならば、（ｂ）に示すように揺動して蓋２が開かれる。ボタン５は図４に示すように、ケース本体１の側縁１１にヒンジ７を介して設けられ、該ボタン５を押圧することで側縁１１が内側へ撓み変形する。従って、蓋２の側縁１２に形成されている凸部４が凹部３から外れて、蓋２は押上げ凸部１３により押上げられて開くことが出来る。
【００１３】
ここで、ボタン５はケース本体１と一体成形され、ヒンジ７はボタン５が揺動できるように軟質樹脂が採用されている。しかし、ケース本体１の側縁１１に軸ピンを介して回転可能に取付けることも可能である。図５は蓋２が開いた状態でのケース本体１の側縁１１の外観を示している。このように、側縁１１の表面にはボタン５を中心として凹部３，３が両側に形成され、そして該側縁１１の一部が切欠かれた箇所にボタン５を有している。
【００１４】
図６は蓋２の側縁１２に形成した凸部４がケース本体１の側縁１１に形成した凹部３から離脱した場合を示している。そして、本発明の収納ケースはボタン５を押すことで凸部４が凹部３から外れて蓋２のロックが解錠されるが、同時に蓋２を僅かに押上げて開き易い状態にする。図７に示すように、蓋２には弾性部材８を形成していて、該弾性部材８の弾性力により閉じている蓋２が押上げられる。
【００１５】
図８は上記弾性部材８の弾性力の作用で蓋２が押上げられた状態である。このように、蓋２が僅かに押し開かれるならば、その後は容易に開くことが出来、収納ケースに無理な力を作用させる必要もない。逆に、蓋を閉じる場合には、従来通り完全に閉鎖することで蓋２の凸部４はケース本体１の凹部３に係合してロックされる。ここで、図７に示す収納ケースでは蓋２は繋ぎ部９を介して開閉可能な構造としているが、図８の収納ケースは軸ピン１０を介して蓋２を開閉可能としている。
【００１６】
以上述べたように、本発明の収納ケースは、ケース本体の側縁と蓋の側縁には互いに係合する係合部を形成し、ケース本体の側縁には蓋を解錠するボタンを備え、しかも蓋を僅かに押し開く弾性部材を有したものであり、次のような効果を得ることが出来る。
【００１７】
【発明の効果】
本発明に係る収納ケースのロック装置は、ケース本体の側縁及び蓋の側縁に形成した係合部の係合によってロックされ、蓋が独りでに開くことはない。そして、ケース本体の側縁にはボタンを揺動可能に設け、該ボタンを押圧することで互いに噛み合っている係合部が外れてロックが解錠され蓋を開くことが出来る。ボタンは側縁に設けられている為に、押圧力にて内側へ撓み変形して係合部が外れ、同時にボタンから延びるアーム先端にて蓋は押上げられる。
【００１８】
一方、収納ケースのケース本体又は蓋には弾性部材が形成され、該弾性部材は蓋が閉じられている状態では弾性変形にて蓋を押し開く弾性力が作用している。従って、ボタンを押圧してロックが解錠されると同時に弾性部材の弾性力によって蓋は僅かに開き、その後は手で容易に全開することが出来る。このように、本発明の収納ケースでは無理な力を作用せずして蓋が開かれる為に、収納ケースを破損することもない。
【図面の簡単な説明】
【図１】本発明に係るロック装置を備えた収納ケースが閉じている場合。
【図２】本発明のロック装置の断面図。
【図３】ロックを解錠するボタンを示す断面図。
【図４】ケース本体の側縁にボタンを揺動可能に支えるヒンジ。
【図５】ロック装置の外観図。
【図６】ロックが解錠された場合。
【図７】蓋を押し開く弾性部材。
【図８】弾性部材によって蓋が僅かに開いた状態。
【符号の説明】
１  ケース本体
２  蓋
３  凹部
４  凸部
５  ボタン
６  アーム
７  ヒンジ
８  弾性部材
９  繋ぎ部
１０  軸ピン
１１  側縁
１２  側縁
１３  押上げ部
１４  内面
【図１】
2004323092.tif 000003
【図２】
2004323092.tif 000004
【図３】
2004323092.tif 000005
【図４】
2004323092.tif 000006
【図５】
2004323092.tif 000007
【図６】
2004323092.tif 000008
【図７】
2004323092.tif 000009
【図８】
2004323092.tif 000010